(57)【要約】【課題】Ｉ．Ｓ．マシンで形成されたボトルを、デッドプレートからコンベアまで押すためのプッシャ機構を提供する。【解決手段】本プッシャ機構は、ハウジングによって支持されており且つ支持体の軸線を中心として及びこれと平行なハウジングの回転軸線を中心として移動自在のプッシャ指状体アッセンブリを含む。これらの回転を行うための二つの駆動ギヤの軸線は、同軸である。【選択図】図１
2007210883.tif 000002
【特許請求の範囲】
【請求項１】
Ｉ．Ｓ．マシンで形成されたボトルを、デッドプレートから、移動するコンベアまで、約９０度の角度に亘って押すためのプッシャ機構であって、
該デッドプレート上のボトルを受け入れるための少なくとも一つのポケットを有するポケット指状体アーム部を含むポケット指状体アッセンブリを備えており、さらに、
第１モータと、
下側ハウジングと、
上側ハウジングと、
中空中央部を有し、垂直方向の第１軸線を中心として回転するように前記下側ハウジング内に取りつけられている第１被駆動ギヤであって、前記上側ハウジングに固定されている、第１被駆動ギヤと、
前記上側ハウジングを前記第１軸線を中心として回転させるため、前記第１モータと前記第１被駆動ギヤとを相互接続するための第１連結手段と、
第２モータと、
前記第１軸線と平行な第２軸線を中心として回転するように、前記上側ハウジングに回転自在に取り付けられた第２被駆動ギヤと、
前記第２被駆動ギヤから軸線方向に、垂直方向上方に延びる第１シャフトと、
を含み、
前記ポケット指状体アッセンブリは、垂直方向の前記第２軸線を中心として回転するように前記第１シャフトに固定されており、
更に、前記第２モータと前記第２被駆動ギヤとを相互接続するため、前記第１被駆動ギヤの前記中空中央部を通って垂直方向に延びる第２シャフトを含む第２連結手段を含む、ことを特徴とするプッシャ機構。
【請求項２】
請求項１に記載のプッシャ機構において、
前記第１連結手段は、第１駆動ギヤと、前記第１駆動ギヤと前記第１被駆動ギヤとを相互接続する第１駆動ベルトとを含む、ことを特徴とするプッシャ機構。
【請求項３】
請求項２に記載のプッシャ機構において、
前記第２連結手段は、第２駆動ギヤと、前記第２駆動ギヤと前記第２被駆動ギヤとを相互接続する第２駆動ベルトとを含む、ことを特徴とするプッシャ機構。
【請求項４】
請求項３に記載のプッシャ機構において、
前記第１モータは、前記第１駆動ギヤに接続された第１ギヤボックスを含む、プッシャ機構。
【請求項５】
請求項４に記載のプッシャ機構において、更に、
前記第２駆動ギヤに接続された第２ギヤボックスを含む、プッシャ機構。
【発明の詳細な説明】
【技術分野】
【０００１】
本発明は、Ｉ．Ｓ．マシンで形成されたボトルをデッドプレートからコンベアまで変位させるプッシャ機構に関する。
【背景技術】
【０００２】
Ｉ．Ｓ．（Ｉｎｄｉｖｉｄｕａｌ  ｓｅｃｔｉｏｎ）マシンで形成されたガラスのボトルは、デッドプレート上に置かれ、そこで短時間に亘って冷却され、次いで約９０°の所定角度にわたり押され、移動するコンベア上へ押される。多くの設計が権利消滅状態になっている。米国特許第４，４１４，７５８号及び米国特許第６，７０２，０９７号、ＣＺ特許第２８８，８４８号及びＣＺ特許第２９５，６８８号、及び米国特許公開第２００５／０１９９０１１号及び米国特許公開第２００５／０１９３７７３号を参照されたい。これらのマシンの速度が上昇するにつれて、ボトルを変位させる際のボトルの制御に伴う困難が大きくなる。
【特許文献１】米国特許第４，４１４，７５８号
【特許文献２】米国特許第６，７０２，０９７号
【特許文献３】ＣＺ特許第２８８，８４８号
【特許文献４】ＣＺ特許第２９５，６８８号
【特許文献５】米国特許公開第２００５／０１９９０１１号
【特許文献６】米国特許公開第２００５／０１９３７７３号
【発明の開示】
【発明が解決しようとする課題】
【０００３】
従って、本発明の目的は、ボトルをデッドプレートからコンベアまで滑らかに移動させることができるプッシャ機構を提供することである。
【課題を解決するための手段】
【０００４】
上記目的を達成するために、本発明は、Ｉ．Ｓ．マシンで形成されたボトルを、デッドプレートから、移動するコンベアまで、約９０度の角度に亘って押すためのプッシャ機構であって、該デッドプレート上のボトルを受け入れるための少なくとも一つのポケットを有するポケット指状体アーム部を含むポケット指状体アッセンブリを備えており、さらに、第１モータと、下側ハウジングと、上側ハウジングと、中空中央部を有し、垂直方向の第１軸線を中心として回転するように下側ハウジング内に取りつけられている第１被駆動ギヤであって、上側ハウジングに固定されている、第１被駆動ギヤと、上側ハウジングを第１軸線を中心として回転させるため、第１モータと第１被駆動ギヤとを相互接続するための第１連結手段と、第２モータと、第１軸線と平行な第２軸線を中心として回転するように、上側ハウジングに回転自在に取り付けられた第２被駆動ギヤと、第２被駆動ギヤから軸線方向に、垂直方向上方に延びる第１シャフトと、を含み、ポケット指状体アッセンブリは、垂直方向の第２軸線を中心として回転するように第１シャフトに固定されており、更に、第２モータと第２被駆動ギヤとを相互接続するため、第１被駆動ギヤの中空中央部を通って垂直方向に延びる第２シャフトを含む第２連結手段を含む、ことを特徴とするプッシャ機構を提供するものである。
【０００５】
第１連結手段は、第１駆動ギヤと、第１駆動ギヤと第１被駆動ギヤとを相互接続する第１駆動ベルトとを含むようにすることが好ましく、また、第２連結手段は、第２駆動ギヤと、第２駆動ギヤと第２被駆動ギヤとを相互接続する第２駆動ベルトとを含むことが好ましい。第１モータは、第１駆動ギヤに接続された第１ギヤボックスを含むように構成できる。さらに、第２駆動ギヤに接続された第２ギヤボックスを含むように構成することができる。
【０００６】
本発明のこの他の目的及び利点は、本明細書の以下の記載から、及び本発明の原理を組み込んだ現在の好ましい実施例を法令の定めるところに従って例示する添付図面から、明らかになるであろう。
【発明を実施するための最良の形態】
【０００７】
プッシャ機構を図１に開示する。この機構は、サーボモータ１０、１２、下側のプッシャハウジング１４、及び上側のプッシャハウジング１６を含む。図２を参照すると、これらのサーボモータは、下側のプッシャハウジングの最下部（ｂｏｔｔｏｍ）に固定されており、ギヤボックス１８を各々含む。サーボモータ１２の頂部には、第１駆動ギヤ２０が固定されている。この第１駆動ギヤ２０は、第１ベルト２４を介して第１被駆動ギヤ２２に相互接続されている。下側ハウジングに形成された平らな環状ベアリング２６によって支持された第１被駆動ギヤは、第１軸線Ａ１を中心として回転する。この第１被駆動ギヤ２２の上面２７は、下側ハウジングのカバープレート３０の開口部２８を通って延び、適当なねじ３２によって上側ハウジングの最下部に接続されている。従って、モータの回転により、上側のプッシャハウジングが第１軸線を中心として回転する。
【０００８】
モータのギヤボックスの頂部３８には取り付けポスト４０が固定されている。この取り付けポスト４０は、第１被駆動ギヤ２２の中央穴４２を通って、垂直方向上方に延びる。
【０００９】
この取り付けポスト４０の頂部には、上側のプッシャハウジング１６内に収容された第２駆動ギヤ４４が、適当なねじ４３によって固定されている。更に、上側のプッシャハウジング内には、シャフト４６に取り付けられた第２被駆動ギヤ４５が支持されている。第２駆動ギヤ４４は、第２ベルト３１を介して第２被駆動ギヤ４５に相互接続されている。シャフト４６は、第２軸線Ａ２を中心として回転するように、上下のベアリング４７によって回転自在に支持されている。このシャフトは、上側のプッシャハウジングのカバープレート４８を通って上方に突出している。
【００１０】
図４は、シャフト４６（多くのねじ５６を持つクランプ５５によって固定される）を受け入れるための垂直穴５４を有するブラケット５２を含むプッシャ指状体アッセンブリ５０を示す。３本のボトルと係合する指状体６０を有する指状体バー５８が、「Ｌ」形状のアーム部６２及び中間ブラケット６４を介してブラケットに固定されている。プッシャ指状体アッセンブリは、サーボモータ１０の作動によって、軸線Ａ２を中心として枢動する。
【図面の簡単な説明】
【００１１】
【図１】本発明の教示に従って製作されたプッシャ機構の斜視図である。
【図２】図１に示すプッシャ機構の一部の分解斜視図である。
【図３】図１に示すプッシャ機構の別の部分の分解斜視図である。
【図４】プッシャ指状体アッセンブリの斜視図である。
【符号の説明】
【００１２】
１０  サーボモータ
１２  サーボモータ
１４  下側のプッシャハウジング
１６  上側のプッシャハウジング
１８  ギヤボックス
２０  第１駆動ギヤ
２２  第１被駆動ギヤ
２４  第１ベルト
４０  取り付けポスト
４２  中央穴
４４  第２駆動ギヤ
４５  第２被駆動ギヤ
４６  シャフト
５０  プッシャ指状体アッセンブリ
５８  指状体バー
６０  指状体
６２  アーム部
【図１】
2007210883.tif 000003
【図２】
2007210883.tif 000004
【図３】
2007210883.tif 000005
【図４】
2007210883.tif 000006